(57)【要約】      （修正有）【課題】表土ブロックを掘り取り、定置場所でコンテナの一端を吊り上げ滑り出させる方法であって、定置場所が従来困難であった平地でも移植できる現状保全型表土ブロック移植工法を提供する。【解決手段】底板と該底板から起立した対向壁を有する外枠１と、採取口が開放した内枠４を有し、該内枠４を該外枠１に該採取口を開放させて収容する。採取場所で該採取口から表土ブロックを該内枠４内に採取して該採取口を遮板で閉塞し、定置場所で該遮板の閉塞を解く。該内枠４を制止しながら該外枠１を該内枠４から引き抜き、該内枠４を該表土ブロックから外すことによって現状を保全したまま表土ブロックを移植する。【選択図】図８
2009281054.tif 000002
【特許請求の範囲】
【請求項１】
底板(2)と該底板(2)から起立した対向壁(3)を有する外枠(1)と、採取口(6)が開放した内枠(4)を有し、
該内枠(4)を該外枠(1)に該採取口(6)を開放させて収容し、
表土ブロックの採取場所で該採取口(6)から表土ブロック(5)を該内枠(4)内に採取して該採取口(6)を遮板(7)で閉塞し、
定置場所で該遮板(7)の閉塞を解いて該内枠(4)を制止しながら該外枠(1)を該内枠(4)から引き抜き、
該内枠(4)を該表土ブロック(5)から外す
ことを特徴とする表土ブロックの現状保全型移植工法。
【請求項２】
該内枠(4)はコ字状を呈している請求項１に記載の表土ブロックの現状保全型移植工法。
【請求項３】
該内枠(4)の高さ(H)は該外枠(1)の高さ(h)より高くなっている請求項１又は２に記載の表土ブロックの現状保全型移植工法。
【請求項４】
該内枠(4)の該側壁(4b)と該外枠(1)の該対向壁(3)は、該内枠(4)を該外枠(1)に収容した状態で該内枠(4)の該採取口(6)側に位置する端部(4c,3a )に、該両端部(4c,3a)間の隙間を塞ぐサイドクリップ(10)が、係脱自在に架着されている請求項１、２又は３に記載の表土ブロックの現状保全型移植工法。
【請求項５】
該内枠(4)は該採取口(6)で外側に屈曲した係止片(10’)を備え、該係止片(10’)は採取作業中に該外枠(1)と係合することによって、該内枠(4)の移動を阻止するようになっている請求項１、２又は３に記載の現状保全型移殖工法。
【請求項６】
底板(2)と該底板(2)から起立した対向壁(3)を有する外枠(1)と、採取口(6)が開放した内枠(4)と、該採取口(6)を塞ぐ扉片(11)を有する保形用材(12)を有し、
該内枠(4)を該外枠(1)に該採取口(6)を開放させて収容し、
該内枠(4)の内面に該保形用材(12)を、該採取口(6)を開放させて、めぐらし、
表土ブロックの採取場所で該採取口(6)から表土ブロック(5)を該内枠(4)内に採取し、
該保形用材(12)で該表土ブロック(5)を保形し、
定置場所で該内枠(4)を制止しながら該外枠(1)を該内枠(4)から引き抜き、
該内枠(4)を該保形用材(12)から外す
ことを特徴とする表土ブロックの現状保全型移植工法。
【請求項７】
該保形用材(12)は該内枠(4)に収まる箱状に賦形されている請求項６に記載の表土ブロックの現状保全型移植工法。
【請求項８】
該保形用材(12)の該扉片(11)は、該保形用材(12)を該内枠(4)に装入した状態で、該採取口(6)の外方へ延出しており、表土ブロック(5)の採取時、該扉片(11)は該外枠(1)の該底板(2)や該内枠(4)の側壁(4b)外面に折り返され、採取完了時に折り戻して繋止することにより、該採取口(6)からの該表土ブロック(5)の脱出を抑止している請求項６又は７に記載の表土ブロックの現状保全型移植工法。
【発明の詳細な説明】
【技術分野】
【０００１】
本発明は、現状保全型表土ブロック移植工法に関する。
【背景技術】
【０００２】
移植の前後を通し生態系に変化を与えないように配慮した表土の移植工法がいくつか開発されている。表土ブロックの移植工法は、特開２００２−３３９３９２に示されるように、植物をその根系が張り込んでいる土壌ごと掘り取って移植場所に移すやり方で、自然環境の維持に好ましい。
【特許文献１】特開２００２−３３９３９２
【発明の開示】
【発明が解決しようとする課題】
【０００３】
この文献に示されたやり方は、定置場所でコンテナの一端を吊り上げ、他端から植栽地面上に滑り出させるので、傾斜地では大変良好に行える。しかしながら、平地の場合、移植するための表土ブロックはコンテナから地面への移り際で滑りにくい。
本発明は、定置場所が平地でも、採取した表土ブロックの現状を保持した状態で定置場所に移植できる工法を提供することを目的とするものである。
【課題を解決するための手段】
【０００４】
（請求項１）本発明に係る第一の表土ブロックの現状保全型移植工法は、底板と該底板から起立した対向壁を有する外枠と、採取口が開放した内枠を有する。該内枠を該外枠に該採取口を開放させて収容する。表土ブロックの採取場所で該採取口から表土ブロックを該内枠内に採取して該採取口を遮板で閉塞する。そして、定置場所で該遮板の閉塞を解き、該内枠を制止しながら該外枠を該内枠から引き抜き、該内枠を該表土ブロックから外す。
【０００５】
該外枠を先に重機の専用のアタッチメントに設置し、その後に該内枠を該外枠に収容するようにすると、両枠を重ねてからアタッチメントに設置する場合より一作業当たりの重量が軽く、作業がし易い。
これらの外枠と内枠は外輪郭が直方体となるような形状が、製作上及び使用上から好ましいが、この形状に限定はされない。材料は金属が望ましいが、強度のあるプラスチック製や木製でもよい。外枠の対向壁面間の内寸は内枠の対向壁面間の外寸より大となっており、内枠を外枠内に収容することができる。この収容に際し、内枠の掘取口は開放される。
【０００６】
内枠は少なくとも上面が開放し、側面の一部に採取口が開放した枠体である。この状態で表土ブロックを採取する。一般的には重機のアタッチメントに内枠の載った外枠を載せ、採取口を前方に向けて押し進めると、表土がブロック状に内枠内に採取される。  
【０００７】
定置場所での定置に際しては、内枠の移動を制止した状態で、外枠を内枠から引き抜く。遮板は両枠から外してもよいが、外枠からは外し、内枠には取り付いている状態にしてもよい。これにより、表土ブロックは構造を変化させられることなく、形状を保ったまま、定置場所に移植される。更に、内枠を表土ブロックから外す。採取口と反対側の側壁、あるいは端壁に透孔を穿っておき、これにフックを引っかけて重機のアームで吊り上げるようにすれば、表土ブロックはなお構造を変化させられることなく、形状を保って、定置場所に移植される。
【０００８】
（請求項２）該内枠はコ字状を呈していてもよい。
こうすると、外枠を内枠から抜き取った状態で内枠の底面は開放されるので、表土ブロックを直接定置面上に移植でき、内枠を表土ブロックから外す際も内枠を吊り上げるだけでよいので、現状保全が容易となる。
【０００９】
（請求項３）該内枠の高さは該外枠の高さより高くなっていてもよい。
こうすると、外枠の重量を増やすことなく内枠内に嵩高かつ大量の表土ブロックを採取できる。
【００１０】
（請求項４）該内枠の該側壁と該外枠の該対向壁は、該内枠を該外枠に収容した状態で該内枠の該採取口側に位置する端部に、該両端部間の隙間を塞ぐサイドクリップが、係脱自在に架着されてもよい。
こうすると、両壁間の隙間はこのサイドクリップにより塞がれ、表土ブロックの採取の際、採取土が両壁間の隙間に入り込むことがなく、入り込んだ場合に起こり得る内枠の内側への折れ曲がりを防げる。
【００１１】
（請求項５）該内枠は該採取口で外側に屈曲した係止片を備え、該係止片は採取作業中に該外枠と係合するようになっていてもよい。
こうすると、作業中に該内枠が土圧によって移動するのを阻止することができ、採取作業に支障を生じない。
【００１２】
（請求項６）本発明にかかる第二の表土ブロックの現状保全型移植工法は、底板と該底板から起立した対向壁を有する外枠と、採取口が開放した内枠と、該採取口を塞ぐ扉片を有する保形用材を有する。該内枠を該外枠に該採取口を開放させて収容する。該内枠の内面に該保形用材を、該採取口を開放させて、めぐらす。表土ブロックの採取場所で該採取口から表土ブロックを該内枠内に採取する。該保形用材で該表土ブロックを保形する。定置場所で該内枠を制止しながら該外枠を該内枠から引き抜く。そして、該内枠を該保形用材から外す。
【００１３】
この第二の表土ブロックの現状保全型移植工法は、保形用材を採用した点に特徴があり、第一の場合と共通する作用の部分については省略する。
【００１４】
内枠は少なくとも上面が開放し、側面の一部に採取口が開放した枠体で、この内枠に保形用材をめぐらす。この保形用材は採取した表土ブロックが定置場所への移動の際に内枠から外部へ崩落したりするのを防ぐためのもので、そのまま埋め戻してもよいように、生分解性のものがよい。
この状態で表土ブロックを採取する。一般的には重機のアタッチメントに内枠の載った外枠を設置し、採取口を前方に向けて押し進めると、表土がブロック状に内枠内に切り取られる。この切り取った表土ブロックを保形用材で袋状に囲み込む。
【００１５】
定置場所では、内枠の移動を制止した状態で、外枠を内枠から外す。これにより、表土ブロックは構造を変化させられることなく、現状を保ったまま、定置場所に移植される。更に、内枠を保形用材から外す。コ字形の採取口と反対側の壁に透孔を穿っておき、これにフックを引っかけてクレーンで吊り上げるようにすれば、表土ブロックはなお構造を変化させられることなく、現状を保って、定置場所に移植される。
【００１６】
（請求項７）  該保形用材は該内枠に収まる箱状に賦形されていてもよい。
こうすると、保形用材を内枠に配置するのがし易くなり、作業能率が上がる。
【００１７】
（請求項８）該保形用材の該扉片は、該採取口から該内枠の外方へ延出しており、表土ブロックの採取時、該扉片は該外枠の該底板や該内枠の側壁の外面に折り返され、採取完了時に折り戻して繋止することにより、該採取口からの該表土ブロックの脱出を抑止していてもよい。
【００１８】
こうすると、表土ブロックの採取時には土圧により扉片は外枠の外面に密接して内枠内に折れ込むことがなく、採取作業に支障を生じず、採取が済んだ後は側壁部と連繋して採取口の閉塞をなせる。
【発明の効果】
【００１９】
（請求項１）本発明に係る第一の表土ブロックの現状保全型移植工法によれば、底板と該底板から起立した対向壁を有する外枠に、内枠をその採取口を開放させて収容し、表土ブロックの採取場所で該採取口から表土ブロックを該内枠内に採取して該採取口を遮板で閉塞し、定置場所では該遮板の閉塞を解き、該内枠の動きを制止しながら該外枠を該内枠から引き抜き、該内枠を該表土ブロックから外すので、表土ブロックは現状をほぼ完璧に保った状態で定置場所に移植できる。
【００２０】
請求項２によれば、外枠を内枠から抜き取った状態で内枠の底面は開放されるので、表土ブロックを直接定置面上に移植でき、内枠を表土ブロックから外す際も内枠を吊り上げるだけでよいので、現状保全が容易となる。
【００２１】
請求項３によれば、該内枠の高さは該外枠の高さより高くなっているので、外枠の重量を増やすことなく嵩高の表土ブロックを採取できる。
【００２２】
請求項４によれば、該内枠の該側壁と該外枠の該対向壁は、該内枠を該外枠に収容した状態で該内枠の該採取口側に位置する端部に、該両端部間の隙間を塞ぐサイドクリップが、係脱自在に架着されているので、両壁間の隙間はこのサイドクリップにより塞がれ、表土ブロックの採取の際、採取土が両壁間の隙間に入り込むことがなく、入り込んだ場合に起こり得る内枠の内側への折れ曲がりを防げる。
【００２３】
請求項５によれば、該内枠は該採取口で外側に屈曲した係止片を備え、該係止片は作業中に該外枠と係合するようになっているので、採取作業中に該内枠が土圧によって移動するのを阻止でき、採取作業中に支障を生じない。
【００２４】
請求項６の第二の表土ブロックの現状保全型移植工法によれば、採取口を塞ぐ扉片を有する保形用材が採用されており、該扉片は、該採取口から該内枠の両側壁と該外枠の底板の延長線上へ延出しており、表土ブロックの採取時、該扉片は該外枠の該底板や該内枠の側壁外面に折り返され、採取完了時に折り戻して繋止することにより、該採取口からの該表土ブロックの脱出を抑止しているので、表土ブロックの採取時には土圧により扉片は外枠の外面に密接して内枠内に折れ込むことがなく、採取作業に支障を生じず、採取が済んだ後は側壁と連繋して採取口の閉塞をなせる。
【００２５】
請求項７によれば、該保形用材は内枠に収まる箱状に賦形されているので、保形用材を内枠に配置するのがし易くなり、作業能率が上がる。
【００２６】
請求項８によれば、該保形用材の該扉片は、該採取口から該内枠の外方へ延出しており、表土ブロックの採取時、該扉片は該外枠の該底板や該内枠の側壁外面に折り返され、採取完了時に折り戻して繋止されるので、採取時に保形用材が内枠内にずれこむことはなく、また、移動中に該採取口から該表土ブロックが脱出するのを抑止できる。
【発明を実施するための最良の形態】
【００２７】
（請求項１）１は外枠で、底板２と、この底板２の両側端から起立した対向壁３を有する。４は端壁４ａ及び一対の側壁４ｂを有するコ字型の内枠で、開口部が表土ブロック５用の採取口６となっている。７は採取口６を塞ぐ遮板で、両端に折曲片７ａを有し、この折曲片７ａにその先端で開口するＬ型の落とし溝７ｂが設けられている。外枠１の対向壁３及び内枠４の側壁４ｂの採取口６側の端部３ａ及び４ｃには、これらの落とし溝７ｂに嵌合自在のピン３ｂ及び４ｄが設けられている。この内枠４を外枠１に採取口５を開放させて収容する。
【００２８】
表土ブロックの採取場所で採取口６から表土ブロック５を内枠４内に採取する。この採取には通常重機２１が使われるが、この場合は外枠１を先ず重機２１のアタッチメント２２に載せ、次いで内枠４をこの外枠１に収容するのがよい。表土ブロック５を採取したら遮板７を外枠１及び内枠４に取り付けて採取口６を塞ぐ。
【００２９】
定置場所が重機２１のアーム２３の作業範囲内にある場合、重機本体を移動させずにアーム２３の操作だけで移植を行える。定置場所が近い場合、アーム２３を引き上げ、表土ブロック５の載ったアタッチメント２２を浮上させる。この状態で重機２１を定置場所に移動させ、そこでアタッチメント２２を地面上に降下させる。外枠１が地面に載った状態でアタッチメント２２を外枠１から引き抜く。外枠１には自身の重量に加え、内枠４及び表土ブロック５の重量もかかっているので、アタッチメント２２の引き抜き抵抗に外枠１が追随することはない。なお、外枠１及び内枠４に牽引用や吊り上げ用の索２４を係止する透孔８や９を穿っておく。なお、透孔８と共にピン８ａを植えてもよい。
【００３０】
図８で、定置場所では内枠４の移動を制止しながら外枠１を内枠４から外す。重機２１のアタッチメント２２をバケット２５に取り換え、あるいはバケットの付いた別の重機を用意する。この重機から延びた索２４の他端のフック２６を外枠１の透孔８に係止する。バケット２５の一面で内枠４の端壁４ａの外面を押さえながら重機２１を後退させる。又は重機２１を後退させずに重機２１等に取り付けたウィンチ２７によって巻き取ると、内枠４は動かず、外枠１だけが内枠４から引き抜かれる。そして、最後に内枠４の端壁４ａ側の透孔９に索２４のフック２６を係止してこの内枠４を吊り上げ、表土ブロック５から外す。
【００３１】
（請求項２）内枠４はコ字状を呈している。
この場合、外枠１を内枠４から抜き取った状態で内枠４の底面は開放されるので、表土ブロック５を直接定置面上に移植でき、内枠４を表土ブロック５から外す際も内枠４を吊り上げるだけでよいので、現状保全が容易となる。
【００３２】
（請求項３）内枠４の高さＨは外枠１の高さｈより高くなっている。
この場合、外枠１の重量を増やすことなく内枠４内に嵩高かつ大量の表土ブロック５を採取できる。
【００３３】
（請求項４）内枠４の側壁４ｂと外枠１の対向壁３は、内枠４を外枠１に収容した状態で内枠４の採取口６側に位置する端部４ｃ及び３ａに、これらの両端部４ｃ及び３ａ間の隙間を塞ぐサイドクリップ１０が、係脱自在に架着されている。
この場合、両壁４ｂと３間の隙間はこのサイドクリップ１０により塞がれ、表土ブロック５の採取の際、採取土がこの隙間に入り込むことがなく、入り込んだ場合に起こり得る内枠４の内側への折り曲がりを防げる。このサイドクリップ１０の架着は、遮板７の場合と同様に行うことができる。即ち、サイドクリップ１０の外側の挟持片１０ａに遮板７と同様の落とし溝１０ｂを設けて外枠１のピン３ｂと内枠４のピン４ｄに係合させる。
【００３４】
（請求項５）内枠４は採取口６で外側に屈曲した係止片１０′を備えている。この係止片１０′は作業中に外枠１と係合することによって内枠４の移動を阻止するようになっている。    
この場合、採取作業中に支障を生じない。
【００３５】
（請求項６）本発明にかかる第二の表土ブロックの現状保全型移植工法は、底板２とこの底板２から起立した対向壁３を有する外枠１と、採取口６が開放した内枠４と、採取口６を塞ぐ扉片１１を有する保形用材１２を有する。内枠４を外枠１に採取口６を開放させて収容する。内枠４の内面に保形用材１２を、採取口６を開放させて、めぐらす。表土ブロックの採取現場で採取口６から表土ブロック５を内枠４内に採取する。保形用材１２で表土ブロック５を保形する。定置場所で内枠４を制止しながら外枠１を内枠４から引き抜く。そして、内枠４を保形用材１２から外す。
【００３６】
この第二の表土ブロックの現状保全型移植工法は、保形用材１２を採用した点に特徴があり、第一の場合と共通する作用の部分については省略する。
【００３７】
内枠４は少なくとも上面が開放し、側面の一部に採取口６が開放した枠体で、この内枠４に保形用材１２をめぐらす。この保形用材１２は採取した表土ブロック５が定置場所への移動の際に内枠４から外部へ崩落したりするのを防ぐためのもので、そのまま埋め戻してもよいように、生分解性のものがよい。
この状態で表土ブロック５を採取する。一般的には重機２１のアタッチメント２２に内枠４の載った外枠１を設置し、採取口６を前方に向けて押し進めると、表土がブロック状に内枠４内に切り取られる。この切り取った表土ブロック５を保形用材１２で袋状に囲み込む。
【００３８】
定置場所では、内枠４の移動を制止した状態で、外枠１を内枠４から引き抜く。これにより、表土ブロック５は構造を変化させられることなく、現状を保ったまま、定置場所に移植される。更に、内枠４を保形用材１２から外す。コ字形の採取口６と反対側の端壁４ａに透孔９を穿っておき、これに索２４のフック２６を引っかけてアーム２３で吊り上げるようにすれば、表土ブロック５はなお構造を変化させられることなく、現状を保って、定置場所に移植される。
【００３９】
（請求項７）保形用材１２は内枠４に収まる箱状に賦形されている。
この場合、保形用材１２を内枠４に配置するのがし易くなり、作業能率が上がる。
【００４０】
（請求項８）保形用材１２の扉片１１は、採取口６から内枠４の外方へ延出しており、表土ブロック５の採取時、扉片１１は外枠１の底板２や内枠４の側壁４ｂの外面に折り返され、採取完了時に折り戻して繋止することにより、採取口６からの表土ブロック５の脱出を抑止している。
【００４１】
この場合、表土ブロック５の採取時には土圧により扉片１１は外枠１の外面に密接して内枠４内に折れ込むことがなく、採取作業に支障を生じず、採取が済んだ後は側壁部分と連繋して採取口６の閉塞をなせる。なお、保形用材１２には、結束紐１３を通す透孔１４や、表面に架け渡すベルト１５の透孔１６を設けるのがよい。
【図面の簡単な説明】
【００４２】
【図１】本発明に係る外枠の具体例を示す斜面図である。
【図２】内枠の具体例を示す斜面図である。
【図３】外枠に内枠を収容し、採取口側で両者にサイドクリップを取付た状態の斜面図である。
【図４】内枠に係止片を備えた状態を示す斜面図である。
【図５】重機によって表土ブロックを採取する状態の説明図である。
【図６】内枠に表土ブロックを採取し、採取口を遮板で塞ごうとしている状態の斜面図である。
【図７】採取した表土ブロックを定置場所に運ぶ状態の斜面図である。
【図８】定置場所で内枠から外枠を引き抜く状態の説明図である。
【図９】内枠を表土ブロックから外す状態の説明図である。
【図１０】内枠に保形用材をめぐらせた状態の斜面図である。
【図１１】保形用材で囲んだ表土ブロックが重機のアタッチメントに載っている状態の斜面図である。
【符号の説明】
【００４３】
１      外枠
２      底板
３      対向壁
３ａ    端部
４      内枠
４ａ    端壁
４ｂ    側壁
５      表土ブロック
６      採取口
７      遮板
８      透孔
８ａ     ピン
９      透孔
１０    サイドクリップ
１０′  係止片
１１    扉片
１２    保形用材
１３    結束紐
１４    透孔
１５    ベルト
１６    透孔
２１     重機
２２     アタッチメント
２３     アーム
２４     索
２５     バケット
２６     フック
２７     ウィンチ
【図１】
2009281054.tif 000003
【図２】
2009281054.tif 000004
【図３】
2009281054.tif 000005
【図４】
2009281054.tif 000006
【図５】
2009281054.tif 000007
【図６】
2009281054.tif 000008
【図７】
2009281054.tif 000009
【図８】
2009281054.tif 000010
【図９】
2009281054.tif 000011
【図１０】
2009281054.tif 000012
【図１１】
2009281054.tif 000013